(57)【特許請求の範囲】
【請求項１】
浴室床面３よりも上面が高い位置にある引き戸の下枠２０と、上面が浴室側を下にして傾斜しており下枠２０の浴室側に配置したスロープ２５とを備え、下枠２０は、スロープ２５の下部空間２４内に垂下した止水片２３と、スロープ２５の下部空間２４側に突設した当接突片２１ａを有し、スロープ２５は止水片２３よりも浴室側の下面に床面当接部材２５ａを有し、止水片２３は、当接突片２１ａの浴室側で当接突片２１ａと間隔を空けて対向して位置しており、スロープ２５の下部空間２４に流入した水の水圧を受けて弾性変形することにより当接突片２１ａに当接してスロープ２５の下部空間２４から下枠２０内部に水が浸入するのを防止することを特徴とするスロープ付き浴室下枠装置。
【発明の詳細な説明】
【技術分野】
【０００１】
本発明は、バリアフリー住宅における浴室出入口下枠の段差解消と高シール性を課題とする浴室引き戸の下枠装置に関する。
【背景技術】
【０００２】
従来、住宅の公的融資基準のひとつとしてバリアフリー住宅があるが、浴室においては、グレーチング、スノコなどを洗い場に設置し、段差解消手段としている。最近、浴室内の清掃を容易にするため、グレーチングなどを削除することが検討されている。
【発明の開示】
【発明が解決しようとする課題】
【０００３】
しかしながら、浴室側の水がスロープの下部空間から下枠内に入り込むという不都合があった。
【０００４】
そこで、本発明の課題は、浴室側の水がスロープの下部空間から下枠内に浸入するのを防止できるスロープ付き浴室下枠装置を提供することである。
【課題を解決するための手段】
【０００５】
上記課題を解決するため、本願発明は、浴室床面３よりも上面が高い位置にある引き戸の下枠２０と、上面が浴室側を下にして傾斜しており下枠２０の浴室側に配置したスロープ２５とを備え、下枠２０は、スロープ２５の下部空間２４内に垂下した止水片２３と、スロープ２５の下部空間２４側に突設した当接突片２１ａを有し、スロープ２５は止水片２３よりも浴室側の下面に床面当接部材２５ａを有し、止水片２３は、当接突片２１ａの浴室側で当接突片２１ａと間隔を空けて対向して位置しており、スロープ２５の下部空間２４に流入した水の水圧を受けて弾性変形することにより当接突片２１ａに当接してスロープの下部空間から下枠２０内部に水が浸入するのを防止することを特徴とする。
【発明の効果】
【０００６】
請求項１記載の発明によれば、床面当接部材２５ａにより浴室側の水がスロープ２５の下部空間に浸入するのを防止するが、それでもスロープ２５の下部空間２４に水が浸入した場合には、スロープ２５の下部空間２４に流入した水の水圧を受けて止水片２３が弾性変形することにより当接突片２１ａに当接して、下枠２０内に水が浸入するのを防止する。従って、床面当接部材２５ａと止水片２３とで浴室側の水がスロープの下部空間２４から下枠２０に浸入するのを二重に防止できる。
【発明を実施するための最良の形態】
【０００７】
実施例は、本発明を図２〜４に示すような浴室用の三枚引戸からなる引き戸３０に適用したものである。該引き戸３０は、特に図３に示すように、第１引き戸３１、第２引き戸３２及び第３引き戸３３からなり、躯体開口部の上枠１、下枠２０（図４参照）、及び縦枠２，２（図３）内に配置されている。第１引き戸３１、第２引き戸３２及び第３引き戸３３は、図４に示すように、各引き戸３１，３２，３３に付設された走行ローラ３１ｂ，３２ｂ，３３ｂを、上枠１に付設されたレール１ａに支持させることにより、開閉自在に吊り下げられている。また、第１引き戸３１には、引き戸開閉用の把手３１ｈが室内外に付設してある。更に、第１引き戸３１、第２引き戸３２及び第３引き戸３３の下框の下面には、それぞれシール材３１ａ、シール材３２ａ、シール材３３ａが下垂されて設けてある。
【０００８】
下枠２０は、特に図１，４に示すように、引き戸３０の下部枠を構成し、更衣室（図外）と浴室床面（浴室パン）３との間に配設される。下枠２０の上面と更衣室の床面とは略同一高さ、下枠２０と浴室床３との高さの差は、略２０mm以下として配置されている。下枠２０は、躯体に載置される下枠基材２１と、下枠基材２１上に載置・係合される下枠載材２２と、該下枠載材２２の浴室側に連結されるスロープ２５とからなる。下枠基材２１の浴室側には、スロープ２５の下部空間２４に位置し水平方向に当接突片２１ａが設けられている。下枠載材２２には、シール材保持部２２ａ，２２ａが形成され、シール材２２ｂ，２２ｂが付設されている。また、下枠載材２２のスロープ２５の下部空間２４側には、止水片支持部２２ｃが設けられ、該止水片支持部２２ｃには、弾性舌片からなる止水片２３が下垂させた状態で設けられている。
【０００９】
そして、この止水片２３の下部は、前記当接突片２１ａに対向して配置される。この構成により、止水片２３が浴室側からの水圧により、傾斜したときには当接突片２１ａの先端部に当接し、スロープ２５の下部空間２４側からの水を遮断することになる。スロープ２５は、硬質合成樹脂、アルミ合金等を素材して形成され、側面視の全体形状が略三角形状で、上面には傾斜面（上面）２５ｄが形成され、浴室側下面には、耐水性があって弾性素材からなる床当接部材２５ａが設けられている。また、スロープ２５の下枠２０側には、シール材保持部２５ｂが形成され、シール材２５ｃが付設されている。また、スロープ２５の下側は、下枠２０側の止水片支持部２２ｃの上面に係合するように凹部が形成されている。
【００１０】
上記実施例では、上記構成により、引き戸３０を閉めた状態において、浴室で湯水を使うと、水が引き戸３０の側面にまで達しても、引き戸３０と下枠２０との間はシール材２２ｂ，２２ｂ及びシール材２５ｃで遮断され、更には、各引き戸３１，３２，３３の下端部に摺接するように、下枠載材２２に設けられたシール材２２ｄ・・で遮断され、また、浴室床３とスロープ２５との間は、床当接部材２５ａに加えて、止水片２３と当接突片２１ａとにより遮断される。即ち、浴室床３とスロープ２５との間の下部空間２４に流入する湯水の圧力により、止水片２３は弾性変形と共に傾斜して当接突片２１ａに当接し、スロープ２５の下部空間２４と下枠２０内の空間とを遮断することとなる。従って、スロープ２５の下部空間２４内の水が下枠２０内に流入することが抑制される。
【００１１】
また、スロープ２５は、下枠２０から容易に着脱できることから、スロープ２５内の清掃が容易となり、浴室の衛生管理が容易となる。
【００１２】
上記実施例は、スロープ２５を随時取り外しができるようにした、即ち、分割型のものであるが、別例１として、図５に示すようなスロープ材支持枠２６を下枠載材２２の両端部に付加することによって、スロープ２５を下枠２０に固定状態とする、即ち、一体型としてもよい。一体型は、スロープ２５を下枠載材２２に装着したことに加えて、スロープ２５の両端部を、付加的な構成要素であるスロープ材支持枠２６に装着するものである。スロープ材支持枠２６の側面には、下枠載材２２の孔に係合する２本の係合突片２６ａ，２６ａが立設され、且つ、スロープ２５の側面に当接するスロープ材当接部２６ｂが形成されている。
【００１３】
そこで、下枠載材２２を下枠基材２１に装着するに先立って、１．先ず、スロープ２５及び下枠載材２２を、上記係合突片２６ａ，２６ａ及びスロープ材当接部２６ｂを介してスロープ材支持枠２６，２６に装着する。２．次ぎに、スロープ材支持枠２６，２６を下枠基材２１に装着する。その結果、スロープ２５は、スロープ材支持枠２６，２６を介して、下枠２０と一体化され、本来の機能を発揮する。この場合にスロープ２５の取り外しは、スロープ２５、スロープ材支持枠２６及び下枠載材２２を一体物として下枠基材２１から取り外すことになる。
【００１４】
この別例１によれば、スロープ２５を取り外すに当たっては、下枠載材２２を取り外すことになり、引き戸３０下部が下枠載材２２の拘束から解かれることになるから、引き戸３０が開閉できなくても、引き戸３０の傾動が可能となり、緊急時（入浴者の昏倒等）の浴室内への出入りにも活用できる。
【００１５】
尚、特許請求の範囲の項には実施例との対応関係を明瞭にするために図面符合を付したが、本発明はこれに限るものではない。
【図面の簡単な説明】
【００１６】
【図１】本発明に係る実施例の主要部縦断面図。
【図２】本発明を適用した実施例の全体正面図。
【図３】同実施例の平面図。
【図４】同実施例の縦断面図。
【図５】同実施例の別例１に係る部品の側面図。
【符号の説明】
【００１７】
１      上枠
３      浴室床（面）
２０    下枠
２１ａ  当接突片
２３    止水片
２４    スロープの下部空間
２５    スロープ
２５ａ  床当接部材
２５ｄ  傾斜面（上面）
３０    引き戸
【図１】
0004683115.tif 000002
【図２】
0004683115.tif 000003
【図３】
0004683115.tif 000004
【図４】
0004683115.tif 000005
【図５】
0004683115.tif 000006